(57)【要約】【解決課題】二酸化塩素濃度のバラツキが小さい二酸化塩素含有殺菌水を製造することができる亜塩素酸および二酸化塩素を含有した殺菌水の生成装置を提供すること。【解決手段】ｐＨ測定手段、第一切り替え弁、第二切り替え弁及び二酸化塩素溶解水送液ポンプに電気的に繋がり、管理ｐＨ範囲が記憶され、ｐＨ測定手段から送られてくるｐＨ値と該管理ｐＨ範囲とを対比し、ｐＨ測定手段から送られてくるｐＨ値が、該管理ｐＨ範囲から外れたときには、第一切り替え弁及び該第二切り替え弁に、液流れをブロー側に切り替える命令を送ると共に、該二酸化塩素溶解水送液ポンプに、停止命令を送り、ｐＨ測定手段から送られてくるｐＨ値が、該管理ｐＨ範囲に戻ったときには、第一切り替え弁及び該第二切り替え弁に、液流れを通常流れ側に切り替える命令を送ると共に、該二酸化塩素溶解水送液ポンプに、送液再開命令を送る第一演算部（Ａ）を有する亜塩素酸および二酸化塩素を含有した殺菌水の生成装置。【選択図】図１
2015217334.tif 000002
【特許請求の範囲】
【請求項１】
希釈亜塩素酸ナトリウム水溶液中の亜塩素酸ナトリウムのナトリウムイオンを水素イオンにイオン交換して、亜塩素酸水溶液を得るためのイオン交換手段と、
該亜塩素酸水溶液中の亜塩素酸を酸化触媒により酸化して、二酸化塩素溶解水を得るための触媒酸化手段と、
一端側から亜塩素酸ナトリウム水溶液希釈用の希釈水が供給され、他端側が該イオン交換手段に繋がる希釈亜塩素酸ナトリウム水溶液送液管と、
一端側から高濃度亜塩素酸ナトリウム水溶液が供給され、他端側が該希釈亜塩素酸ナトリウム水溶液送液管に繋がる高濃度亜塩素酸ナトリウム水溶液送液管と、
一端側が該イオン交換手段に繋がり、他端側が該触媒酸化手段に繋がり、亜塩素酸水溶液が送液される亜塩素酸水溶液送液管と、
一端側から二酸化塩素溶解水希釈用の希釈水が供給され、他端側がユースポイントに繋がる二酸化塩素含有殺菌水送液管と、
一端側が該触媒酸化手段に繋がり、他端側が二酸化塩素含有殺菌水送液管に繋がり、二酸化塩素溶解水が送液される二酸化塩素溶解水送液管と、
該高濃度亜塩素酸ナトリウム水溶液送液管に設置され、高濃度亜塩素酸ナトリウム水溶液を送液するための高濃度亜塩素酸ナトリウム水溶液送液ポンプと、
該二酸化塩素溶解水送液管に設置され、二酸化塩素溶解水を送液するための二酸化塩素溶解水送液ポンプと、
該亜塩素酸水溶液送液管に設置され、亜塩素酸水溶液のｐＨを測定するためのｐＨ測定手段と、
該ｐＨ測定手段と該触媒酸化手段との間の該亜塩素酸水溶液送液管に設置される第一切り替え弁と、
該第一切り替え弁に繋がる亜塩素酸水溶液ブロー管と、
該二酸化塩素含有殺菌水送液管に設置され、二酸化塩素含有殺菌水中の二酸化塩素濃度を測定するための二酸化塩素濃度測定手段と、
該二酸化塩素濃度測定手段とユースポイントとの間の該二酸化塩素含有殺菌水送液管に設置される第二切り替え弁と、
該第二切り替え弁に繋がる二酸化塩素含有殺菌水ブロー管と、
該ｐＨ測定手段、該第一切り替え弁、該第二切り替え弁及び該二酸化塩素溶解水送液ポンプに電気的に繋がり、管理ｐＨ範囲が記憶され、該ｐＨ測定手段から送られてくるｐＨ値と該管理ｐＨ範囲とを対比し、該ｐＨ測定手段から送られてくるｐＨ値が、該管理ｐＨ範囲から外れたときには、該第一切り替え弁及び該第二切り替え弁に、液流れをブロー側に切り替える命令を送ると共に、該二酸化塩素溶解水送液ポンプに、停止命令を送り、該ｐＨ測定手段から送られてくるｐＨ値が、該管理ｐＨ範囲に戻ったときには、該第一切り替え弁及び該第二切り替え弁に、液流れを通常流れ側に切り替える命令を送ると共に、該二酸化塩素溶解水送液ポンプに、送液再開命令を送る、第一演算部（Ａ）と、
該二酸化塩素濃度測定手段及び該二酸化塩素溶解水送液ポンプに電気的に繋がり、管理二酸化塩素濃度値が記憶され、該二酸化塩素濃度測定手段から送られてくる二酸化塩素濃度値と該管理二酸化塩素濃度値とを対比し、該二酸化塩素濃度測定手段から送られてくる二酸化塩素濃度値と、該管理二酸化塩素濃度値に差がある場合には、該二酸化塩素濃度測定手段から送られてくる二酸化塩素濃度値と該管理二酸化塩素濃度値との差から、二酸化塩素含有殺菌水中の二酸化塩素濃度を、該管理二酸化塩素濃度値にするために必要な、該二酸化塩素溶解水送液ポンプの送液流量を算出し、該二酸化塩素溶解水送液ポンプに、送液流量変更命令を送る、第二演算部と、
を有することを特徴とする亜塩素酸および二酸化塩素を含有した殺菌水の生成装置。
【請求項２】
希釈亜塩素酸ナトリウム水溶液中の亜塩素酸ナトリウムのナトリウムイオンを水素イオンにイオン交換して、亜塩素酸水溶液を得るためのイオン交換手段と、
該亜塩素酸水溶液中の亜塩素酸を酸化触媒により酸化して、二酸化塩素溶解水を得るための触媒酸化手段と、
一端側から亜塩素酸ナトリウム水溶液希釈用の希釈水が供給され、他端側が該イオン交換手段に繋がる希釈亜塩素酸ナトリウム水溶液送液管と、
一端側から高濃度亜塩素酸ナトリウム水溶液が供給され、他端側が該希釈亜塩素酸ナトリウム水溶液送液管に繋がる高濃度亜塩素酸ナトリウム水溶液送液管と、
一端側が該イオン交換手段に繋がり、他端側が該触媒酸化手段に繋がり、亜塩素酸水溶液が送液される亜塩素酸水溶液送液管と、
一端側から二酸化塩素溶解水希釈用の希釈水が供給され、他端側がユースポイントに繋がる二酸化塩素含有殺菌水送液管と、
一端側が該触媒酸化手段に繋がり、他端側が二酸化塩素含有殺菌水送液管に繋がり、二酸化塩素溶解水が送液される二酸化塩素溶解水送液管と、
該高濃度亜塩素酸ナトリウム水溶液送液管に設置され、高濃度亜塩素酸ナトリウム水溶液を送液するための高濃度亜塩素酸ナトリウム水溶液送液ポンプと、
該二酸化塩素溶解水送液管に設置され、二酸化塩素溶解水を送液するための二酸化塩素溶解水送液ポンプと、
該亜塩素酸水溶液送液管に設置され、亜塩素酸水溶液のｐＨを測定するためのｐＨ測定手段と、
該ｐＨ測定手段と該触媒酸化手段との間の該亜塩素酸水溶液送液管に設置される第一切り替え弁と、
該第一切り替え弁に繋がる亜塩素酸水溶液ブロー管と、
該第一切り替え弁と該触媒酸化手段との間の該亜塩素酸水溶液送液管に設置される中間タンクと、
該二酸化塩素含有殺菌水送液管に設置され、二酸化塩素含有殺菌水中の二酸化塩素濃度を測定するための二酸化塩素濃度測定手段と、
該ｐＨ測定手段及び該第一切り替え弁に電気的に繋がり、管理ｐＨ範囲が記憶され、該ｐＨ測定手段から送られてくるｐＨ値と該管理ｐＨ範囲とを対比し、該ｐＨ測定手段から送られてくるｐＨ値が、該管理ｐＨ範囲から外れたときには、該第一切り替え弁に、液流れをブロー側に切り替える命令を送り、該ｐＨ測定手段から送られてくるｐＨ値が、該管理ｐＨ範囲に戻ったときには、該第一切り替え弁に、液流れを通常流れ側に切り替える命令を送る、第一演算部（Ｂ）と、
該二酸化塩素濃度測定手段及び該二酸化塩素溶解水送液ポンプに電気的に繋がり、管理二酸化塩素濃度値が記憶され、該二酸化塩素濃度測定手段から送られてくる二酸化塩素濃度値と該管理二酸化塩素濃度値とを対比し、該二酸化塩素濃度測定手段から送られてくる二酸化塩素濃度値と、該管理二酸化塩素濃度値に差がある場合には、該二酸化塩素濃度測定手段から送られてくる二酸化塩素濃度値と該管理二酸化塩素濃度値との差から、二酸化塩素含有殺菌水中の二酸化塩素濃度を、該管理二酸化塩素濃度値にするために必要な、該二酸化塩素溶解水送液ポンプの送液流量を算出し、該二酸化塩素溶解水送液ポンプに、送液流量変更命令を送る、第二演算部と、
を有することを特徴とする亜塩素酸および二酸化塩素を含有した殺菌水の生成装置。
【請求項３】
前記希釈亜塩素酸ナトリウム水溶液送液管に設置され、希釈亜塩素酸ナトリウム水溶液の電気伝導度を測定するための電気伝導度測定手段と、
該電気伝導度測定手段及び前記高濃度亜塩素酸ナトリウム水溶液送液ポンプに電気的に繋がり、管理電気伝導度値が記憶され、該電気伝導度測定手段から送られてくる電気伝導度値と該管理電気伝導度値とを対比し、該電気伝導度測定手段から送られてくる電気伝導度値と、該管理電気伝導度値に差がある場合には、該電気伝導度測定手段から送られてくる電気伝導度値と該管理電気伝導度値との差から、希釈亜塩素酸ナトリウム水溶液の電気伝導度を、該管理電気伝導度値にするために必要な、該高濃度亜塩素ナトリウム水溶液送液ポンプの送液流量を算出し、該高濃度亜塩素酸ナトリウム水溶液送液ポンプに、送液流量変更命令を送る、第三演算部と、
を有することを特徴とする請求項１又は２いずれか１項記載の亜塩素酸および二酸化塩素を含有した殺菌水の生成装置。
【請求項４】
前記二酸化塩素含有殺菌水送液管に供給する二酸化塩素溶解水希釈用の希釈水として、二酸化炭素が溶解している二酸化塩素溶解水希釈用の希釈水を供給するために、二酸化炭素溶解用の水に二酸化炭素を溶解させて、二酸化炭素が溶解している二酸化塩素溶解水用の希釈水を作製するための二酸化炭素溶解手段を有することを特徴とする請求項１〜３いずれか１項記載の亜塩素酸および二酸化塩素を含有した殺菌水の生成装置。
【発明の詳細な説明】
【技術分野】
【０００１】
本発明は、二酸化塩素を含有し、食品加工施設やビルの給水、畜産、生鮮品、病院の殺菌水、浄水又は排水等の殺菌に用いられる殺菌水（二酸化塩素含有殺菌水）の製造に用いられる亜塩素酸および二酸化塩素を含有した殺菌水の生成装置に関する。
【背景技術】
【０００２】
二酸化塩素を含有する水は、野菜、海産物、食肉等の生鮮品の殺菌用、人口透析装置の逆浸透膜の殺菌用、飲料水、ビルの給水等の殺菌用、畜産の殺菌用、病院の殺菌水用と、広く殺菌に用いられている。
【０００３】
二酸化塩素を含有する水を製造する方法としては、例えば、特表２００４−５３６７６１号公報（特許文献１）、特開２０１３−１４４０８５号公報（特許文献２）、には、亜塩素酸ナトリウムのナトリウムイオンを水素イオンでイオン交換して、亜塩素酸を生じさせ、次いで、亜塩素酸を触媒反応により酸化させて、二酸化塩素を含有する水を得る方法が開示されている。
【先行技術文献】
【特許文献】
【０００４】
【特許文献１】特表２００４−５３６７６１号公報
【特許文献２】特開２０１３−１４４０８５号公報
【発明の概要】
【発明が解決しようとする課題】
【０００５】
殺菌に用いられる二酸化塩素含有水は、二酸化塩素濃度が低いのが通常であるため、本発明者らは、水溶液中の亜塩素酸ナトリウムをイオン交換及び触媒酸化して、連続して効率的に、二酸化塩素含有水を得るために、原料として、数％濃度の亜塩素酸ナトリウム水溶液を作製しておき、それを、イオン交換手段に希釈水を供給する送液管に供給して、その送液管中で、希釈亜塩素酸ナトリウム水溶液を得、得られる希釈亜塩素酸ナトリウム水溶液を、イオン交換及び触媒酸化して、二酸化塩素含有水を得、次いで、得られる二酸化塩素含有水を更に希釈水で希釈することにより、二酸化塩素を含有する殺菌水を得ることを試みた。
【０００６】
ところが、本発明者らが検討を重ねたところ、このようにして、二酸化塩素を含有する殺菌水を得る場合には、二酸化塩素濃度にバラツキが生じてしまい、連続して供給している際に、二酸化塩素濃度のバラツキが大きい殺菌水が、ユースポイントに供給されてしまう、あるいは、濃度が管理値を外れてしまっている殺菌水が、一定時間供給されてしまうという問題が起こることがわかった。特に、製造する二酸化塩素を含有する殺菌水の二酸化塩素濃度が低いほど、バラツキが大きくなることがわかった。
【０００７】
従って、本発明の目的は、二酸化塩素濃度のバラツキが小さい二酸化塩素含有殺菌水を製造することができる亜塩素酸および二酸化塩素を含有した殺菌水の生成装置を提供することにある。
【課題を解決するための手段】
【０００８】
上記従来技術における課題は、以下に示す本発明により解決される。
すなわち、本発明（１）は、希釈亜塩素酸ナトリウム水溶液中の亜塩素酸ナトリウムのナトリウムイオンを水素イオンにイオン交換して、亜塩素酸水溶液を得るためのイオン交換手段と、
該亜塩素酸水溶液中の亜塩素酸を酸化触媒により酸化して、二酸化塩素溶解水を得るための触媒酸化手段と、
一端側から亜塩素酸ナトリウム水溶液希釈用の希釈水が供給され、他端側が該イオン交換手段に繋がる希釈亜塩素酸ナトリウム水溶液送液管と、
一端側から高濃度亜塩素酸ナトリウム水溶液が供給され、他端側が該希釈亜塩素酸ナトリウム水溶液送液管に繋がる高濃度亜塩素酸ナトリウム水溶液送液管と、
一端側が該イオン交換手段に繋がり、他端側が該触媒酸化手段に繋がり、亜塩素酸水溶液が送液される亜塩素酸水溶液送液管と、
一端側から二酸化塩素溶解水希釈用の希釈水が供給され、他端側がユースポイントに繋がる二酸化塩素含有殺菌水送液管と、
一端側が該触媒酸化手段に繋がり、他端側が二酸化塩素含有殺菌水送液管に繋がり、二酸化塩素溶解水が送液される二酸化塩素溶解水送液管と、
該高濃度亜塩素酸ナトリウム水溶液送液管に設置され、高濃度亜塩素酸ナトリウム水溶液を送液するための高濃度亜塩素酸ナトリウム水溶液送液ポンプと、
該二酸化塩素溶解水送液管に設置され、二酸化塩素溶解水を送液するための二酸化塩素溶解水送液ポンプと、
該亜塩素酸水溶液送液管に設置され、亜塩素酸水溶液のｐＨを測定するためのｐＨ測定手段と、
該ｐＨ測定手段と該触媒酸化手段との間の該亜塩素酸水溶液送液管に設置される第一切り替え弁と、
該第一切り替え弁に繋がる亜塩素酸水溶液ブロー管と、
該二酸化塩素含有殺菌水送液管に設置され、二酸化塩素含有殺菌水中の二酸化塩素濃度を測定するための二酸化塩素濃度測定手段と、
該二酸化塩素濃度測定手段とユースポイントとの間の該二酸化塩素含有殺菌水送液管に設置される第二切り替え弁と、
該第二切り替え弁に繋がる二酸化塩素含有殺菌水ブロー管と、
該ｐＨ測定手段、該第一切り替え弁、該第二切り替え弁及び該二酸化塩素溶解水送液ポンプに電気的に繋がり、管理ｐＨ範囲が記憶され、該ｐＨ測定手段から送られてくるｐＨ値と該管理ｐＨ範囲とを対比し、該ｐＨ測定手段から送られてくるｐＨ値が、該管理ｐＨ範囲から外れたときには、該第一切り替え弁及び該第二切り替え弁に、液流れをブロー側に切り替える命令を送ると共に、該二酸化塩素溶解水送液ポンプに、停止命令を送り、該ｐＨ測定手段から送られてくるｐＨ値が、該管理ｐＨ範囲に戻ったときには、該第一切り替え弁及び該第二切り替え弁に、液流れを通常流れ側に切り替える命令を送ると共に、該二酸化塩素溶解水送液ポンプに、送液再開命令を送る、第一演算部（Ａ）と、
該二酸化塩素濃度測定手段及び該二酸化塩素溶解水送液ポンプに電気的に繋がり、管理二酸化塩素濃度値が記憶され、該二酸化塩素濃度測定手段から送られてくる二酸化塩素濃度値と該管理二酸化塩素濃度値とを対比し、該二酸化塩素濃度測定手段から送られてくる二酸化塩素濃度値と、該管理二酸化塩素濃度値に差がある場合には、該二酸化塩素濃度測定手段から送られてくる二酸化塩素濃度値と該管理二酸化塩素濃度値との差から、二酸化塩素含有殺菌水中の二酸化塩素濃度を、該管理二酸化塩素濃度値にするために必要な、該二酸化塩素溶解水送液ポンプの送液流量を算出し、該二酸化塩素溶解水送液ポンプに、送液流量変更命令を送る、第二演算部と、
を有することを特徴とする亜塩素酸および二酸化塩素を含有した殺菌水の生成装置を提供するものである。
【０００９】
また、本発明（２）は、希釈亜塩素酸ナトリウム水溶液中の亜塩素酸ナトリウムのナトリウムイオンを水素イオンにイオン交換して、亜塩素酸水溶液を得るためのイオン交換手段と、
該亜塩素酸水溶液中の亜塩素酸を酸化触媒により酸化して、二酸化塩素溶解水を得るための触媒酸化手段と、
一端側から亜塩素酸ナトリウム水溶液希釈用の希釈水が供給され、他端側が該イオン交換手段に繋がる希釈亜塩素酸ナトリウム水溶液送液管と、
一端側から高濃度亜塩素酸ナトリウム水溶液が供給され、他端側が該希釈亜塩素酸ナトリウム水溶液送液管に繋がる高濃度亜塩素酸ナトリウム水溶液送液管と、
一端側が該イオン交換手段に繋がり、他端側が該触媒酸化手段に繋がり、亜塩素酸水溶液が送液される亜塩素酸水溶液送液管と、
一端側から二酸化塩素溶解水希釈用の希釈水が供給され、他端側がユースポイントに繋がる二酸化塩素含有殺菌水送液管と、
一端側が該触媒酸化手段に繋がり、他端側が二酸化塩素含有殺菌水送液管に繋がり、二酸化塩素溶解水が送液される二酸化塩素溶解水送液管と、
該高濃度亜塩素酸ナトリウム水溶液送液管に設置され、高濃度亜塩素酸ナトリウム水溶液を送液するための高濃度亜塩素酸ナトリウム水溶液送液ポンプと、
該二酸化塩素溶解水送液管に設置され、二酸化塩素溶解水を送液するための二酸化塩素溶解水送液ポンプと、
該亜塩素酸水溶液送液管に設置され、亜塩素酸水溶液のｐＨを測定するためのｐＨ測定手段と、
該ｐＨ測定手段と該触媒酸化手段との間の該亜塩素酸水溶液送液管に設置される第一切り替え弁と、
該第一切り替え弁に繋がる亜塩素酸水溶液ブロー管と、
該第一切り替え弁と該触媒酸化手段との間の該亜塩素酸水溶液送液管に設置される中間タンクと、
該二酸化塩素含有殺菌水送液管に設置され、二酸化塩素含有殺菌水中の二酸化塩素濃度を測定するための二酸化塩素濃度測定手段と、
該ｐＨ測定手段及び該第一切り替え弁に電気的に繋がり、管理ｐＨ範囲が記憶され、該ｐＨ測定手段から送られてくるｐＨ値と該管理ｐＨ範囲とを対比し、該ｐＨ測定手段から送られてくるｐＨ値が、該管理ｐＨ範囲から外れたときには、該第一切り替え弁に、液流れをブロー側に切り替える命令を送り、該ｐＨ測定手段から送られてくるｐＨ値が、該管理ｐＨ範囲に戻ったときには、該第一切り替え弁に、液流れを通常流れ側に切り替える命令を送る、第一演算部（Ｂ）と、
該二酸化塩素濃度測定手段及び該二酸化塩素溶解水送液ポンプに電気的に繋がり、管理二酸化塩素濃度値が記憶され、該二酸化塩素濃度測定手段から送られてくる二酸化塩素濃度値と該管理二酸化塩素濃度値とを対比し、該二酸化塩素濃度測定手段から送られてくる二酸化塩素濃度値と、該管理二酸化塩素濃度値に差がある場合には、該二酸化塩素濃度測定手段から送られてくる二酸化塩素濃度値と該管理二酸化塩素濃度値との差から、二酸化塩素含有殺菌水中の二酸化塩素濃度を、該管理二酸化塩素濃度値にするために必要な、該二酸化塩素溶解水送液ポンプの送液流量を算出し、該二酸化塩素溶解水送液ポンプに、送液流量変更命令を送る、第二演算部と、
を有することを特徴とする亜塩素酸および二酸化塩素を含有した殺菌水の生成装置を提供するものである。
【発明の効果】
【００１０】
本発明によれば、二酸化塩素濃度のバラツキが小さい二酸化塩素含有殺菌水を製造することができる亜塩素酸および二酸化塩素を含有した殺菌水の生成装置を提供することができる。
【図面の簡単な説明】
【００１１】
【図１】本発明の亜塩素酸および二酸化塩素を含有した殺菌水の生成装置（１）の形態例のフロー図である。
【図２】本発明の亜塩素酸および二酸化塩素を含有した殺菌水の生成装置（２）の形態例のフロー図である。
【図３】本発明の亜塩素酸および二酸化塩素を含有した殺菌水の生成装置（１Ａ）の形態例のフロー図である。
【図４】本発明の亜塩素酸および二酸化塩素を含有した殺菌水の生成装置（２Ａ）の形態例のフロー図である。
【図５】本発明の亜塩素酸および二酸化塩素を含有した殺菌水の生成装置（１Ｂ）の形態例のフロー図である。
【図６】本発明の亜塩素酸および二酸化塩素を含有した殺菌水の生成装置（２Ｂ）の形態例のフロー図である。
【図７】本発明の亜塩素酸および二酸化塩素を含有した殺菌水の生成装置（２Ｃ）の形態例のフロー図である。
【図８】実施例１における生成装置の運転状況の結果のグラフである。
【図９】実施例２における生成装置の運転状況の結果のグラフである。
【発明を実施するための形態】
【００１２】
本発明の第一の形態の亜塩素酸および二酸化塩素を含有した殺菌水の生成装置（以下、本発明の亜塩素酸および二酸化塩素を含有した殺菌水の生成装置（１）とも記載する。）は、希釈亜塩素酸ナトリウム水溶液中の亜塩素酸ナトリウムのナトリウムイオンを水素イオンにイオン交換して、亜塩素酸水溶液を得るためのイオン交換手段と、
該亜塩素酸水溶液中の亜塩素酸を酸化触媒により酸化して、二酸化塩素溶解水を得るための触媒酸化手段と、
一端側から亜塩素酸ナトリウム水溶液希釈用の希釈水が供給され、他端側が該イオン交換手段に繋がる希釈亜塩素酸ナトリウム水溶液送液管と、
一端側から高濃度亜塩素酸ナトリウム水溶液が供給され、他端側が該希釈亜塩素酸ナトリウム水溶液送液管に繋がる高濃度亜塩素酸ナトリウム水溶液送液管と、
一端側が該イオン交換手段に繋がり、他端側が該触媒酸化手段に繋がり、亜塩素酸水溶液が送液される亜塩素酸水溶液送液管と、
一端側から二酸化塩素溶解水希釈用の希釈水が供給され、他端側がユースポイントに繋がる二酸化塩素含有殺菌水送液管と、
一端側が該触媒酸化手段に繋がり、他端側が二酸化塩素含有殺菌水送液管に繋がり、二酸化塩素溶解水が送液される二酸化塩素溶解水送液管と、
該高濃度亜塩素酸ナトリウム送液管に設置され、高濃度亜塩素酸ナトリウム水溶液を送液するための高濃度亜塩素酸ナトリウム水溶液送液ポンプと、
該二酸化塩素溶解水送液管に設置され、二酸化塩素溶解水を送液するための二酸化塩素溶解水送液ポンプと、
該亜塩素酸水溶液送液管に設置され、亜塩素酸水溶液のｐＨを測定するためのｐＨ測定手段と、
該ｐＨ測定手段と該触媒酸化手段との間の該亜塩素酸水溶液送液管に設置される第一切り替え弁と、
該第一切り替え弁に繋がる亜塩素酸水溶液ブロー管と、
該二酸化塩素含有殺菌水送液管に設置され、二酸化塩素含有殺菌水中の二酸化塩素濃度を測定するための二酸化塩素濃度測定手段と、
該二酸化塩素濃度測定手段とユースポイントとの間の該二酸化塩素含有殺菌水送液管に設置される第二切り替え弁と、
該第二切り替え弁に繋がる二酸化塩素含有殺菌水ブロー管と、
該ｐＨ測定手段、該第一切り替え弁、該第二切り替え弁及び該二酸化塩素溶解水送液ポンプに電気的に繋がり、管理ｐＨ範囲が記憶され、該ｐＨ測定手段から送られてくるｐＨ値と該管理ｐＨ範囲とを対比し、該ｐＨ測定手段から送られてくるｐＨ値が、該管理ｐＨ範囲から外れたときには、該第一切り替え弁及び該第二切り替え弁に、液流れをブロー側に切り替える命令を送ると共に、該二酸化塩素溶解水送液ポンプに、停止命令を送り、該ｐＨ測定手段から送られてくるｐＨ値が、該管理ｐＨ範囲に戻ったときには、該第一切り替え弁及び該第二切り替え弁に、液流れを通常流れ側に切り替える命令を送ると共に、該二酸化塩素溶解水送液ポンプに、送液再開命令を送る、第一演算部（Ａ）と、
該二酸化塩素濃度測定手段及び該二酸化塩素溶解水送液ポンプに電気的に繋がり、管理二酸化塩素濃度値が記憶され、該二酸化塩素濃度測定手段から送られてくる二酸化塩素濃度値と該管理二酸化塩素濃度値とを対比し、該二酸化塩素濃度測定手段から送られてくる二酸化塩素濃度値と、該管理二酸化塩素濃度値に差がある場合には、該二酸化塩素濃度測定手段から送られてくる二酸化塩素濃度値と該管理二酸化塩素濃度値との差から、二酸化塩素含有殺菌水中の二酸化塩素濃度を、該管理二酸化塩素濃度値にするために必要な、該二酸化塩素溶解水送液ポンプの送液流量を算出し、該二酸化塩素溶解水送液ポンプに、送液流量変更命令を送る、第二演算部と、
を有することを特徴とする亜塩素酸および二酸化塩素を含有した殺菌水の生成装置である。
【００１３】
本発明の亜塩素酸および二酸化塩素を含有した殺菌水の生成装置（１）について、図１を参照して説明する。
【００１４】
図１は、本発明の亜塩素酸および二酸化塩素を含有した殺菌水の生成装置（１）の形態例のフロー図である。図１に示す亜塩素酸および二酸化塩素を含有した殺菌水の生成装置は、イオン交換手段２と、触媒酸化手段５と、を有する。また、図１に示す亜塩素酸および二酸化塩素を含有した殺菌水の生成装置は、高濃度亜塩素酸ナトリウム水溶液送液管４２と、希釈亜塩素酸ナトリウム水溶液送液管４１と、亜塩素酸水溶液送液管４３と、二酸化塩素溶解水送液管４４と、二酸化塩素含有殺菌水送液管４７と、を有する。
【００１５】
イオン交換手段２は、希釈亜塩素酸ナトリウム水溶液５１中の亜塩素酸ナトリウムのナトリウムイオンを水素イオンにイオン交換して、亜塩素酸水溶液を得るための手段である。イオン交換手段としては、亜塩素酸ナトリウム水溶液中のナトリウムイオンを、水素イオンにイオン交換することができるＨ＋型のイオン交換体であれば、特に制限されない。Ｈ＋型のイオン交換体としては、例えば、陽イオン交換基を有し、その陽イオン交換基のカウンターカチオンが水素イオンであるＨ＋型の陽イオン交換樹脂や、Ｈ＋型の無機イオン交換体等が挙げられる。
【００１６】
触媒酸化手段５は、亜塩素酸水溶液５２中の亜塩素酸を酸化触媒により酸化して、二酸化塩素溶解水５３を得るための手段である。触媒酸化手段５としては、亜塩素酸水溶液中の亜塩素酸を酸化して、二酸化塩素溶解水を生成させることができる酸化触媒であれば、特に制限されない。触媒酸化手段としては、例えば、Ｐｄ、Ｐｔ等が担持されているアルミナ、Ｐｄ、Ｐｔ等が担持されているゼオライト、二酸化マンガン等の酸化触媒が挙げられる。
【００１７】
希釈亜塩素酸ナトリウム水溶液送液管４１は、高濃度亜塩素酸ナトリウム水溶液３１を希釈するための希釈水３２を、装置外からイオン交換手段２まで送液するための送液管であり、一端側から亜塩素酸ナトリウム水溶液希釈用の希釈水３２が供給され、他端側がイオン交換手段２に繋がっている。希釈亜塩素酸ナトリウム水溶液送液管４１の途中には、高濃度亜塩素酸ナトリウム水溶液送液管４２が繋がっている。この高濃度亜塩素酸ナトリウム水溶液送液管４２は、希釈亜塩素酸ナトリウム水溶液送液管４１内の亜塩素酸ナトリウム水溶液希釈用の希釈水３２に、高濃度亜塩素酸ナトリウム水溶液３１を供給するための送液管であり、一端側から高濃度亜塩素酸ナトリウム水溶液３１が供給され、他端側が希釈亜塩素酸ナトリウム水溶液送液管４１に繋がっている。そして、希釈亜塩素酸ナトリウム水溶液送液管４１内の亜塩素酸ナトリウム水溶液希釈用の希釈水３２に、高濃度亜塩素酸ナトリウム水溶液３１が供給されることで、希釈亜塩素酸ナトリウム水溶液送液管４１内で、希釈亜塩素酸ナトリウム水溶液５１が調製される。
【００１８】
亜塩素酸水溶液送液管４３は、イオン交換手段２と触媒酸化手段５とを繋ぎ、イオン交換手段２により生成された亜塩素酸水溶液５２を、触媒酸化手段５に送液するための送液管であり、一端側がイオン交換手段２に繋がり、他端側が触媒酸化手段５に繋がっている。
【００１９】
二酸化塩素含有殺菌水送液管４７は、二酸化塩素溶解水５３を希釈するための希釈水３３ａを、装置外からユースポイントまで送液するための送液管であり、一端側から二酸化塩素溶解水希釈用の希釈水３３ａが供給され、他端側がユースポイントに繋がる。二酸化塩素含有殺菌水送液管４７の途中には、二酸化塩素溶解水送液管４４が繋がっている。この二酸化塩素溶解水送液管４４は、二酸化塩素含有殺菌水送液管４７内の二酸化塩素溶解水希釈用の希釈水３３ａに、触媒酸化手段５で亜塩素酸を酸化して得られる二酸化塩素溶解水５３を供給するための送液管であり、一端側が触媒酸化手段５に繋がり、他端側が二酸化塩素含有殺菌水送液管４７に繋がっている。そして、二酸化塩素含有殺菌水送液管４７内の二酸化塩素溶解水希釈用の希釈水３３ａに、二酸化塩素溶解水５３が供給されることで、二酸化塩素含有殺菌水送液管４７内で、二酸化塩素含有殺菌水３６が製造される。
【００２０】
図１に示す亜塩素酸および二酸化塩素を含有した殺菌水の生成装置では、高濃度亜塩素酸ナトリウム水溶液送液管４２に、高濃度亜塩素酸ナトリウム水溶液送液ポンプ１１が設置されている。高濃度亜塩素酸ナトリウム水溶液送液ポンプ１１は、希釈亜塩素酸ナトリウム水溶液送液管４１内に、高濃度亜塩素酸ナトリウム水溶液３１を、供給量を調節して供給するための送液ポンプである。
【００２１】
また、図１に示す亜塩素酸および二酸化塩素を含有した殺菌水の生成装置では、二酸化塩素溶解水送液管４４に、二酸化塩素溶解水送液ポンプ１３が設置されている。二酸化塩素溶解水送液ポンプ１３は、触媒酸化手段５で得られる二酸化塩素溶解水５３を、二酸化塩素含有殺菌水送液管４７に送液するための送液ポンプである。
【００２２】
また、図１に示す亜塩素酸および二酸化塩素を含有した殺菌水の生成装置では、亜塩素酸水溶液送液管４３に、亜塩素酸水溶液５２のｐＨを測定するためのｐＨ測定手段３が設置されている。また、図１に示す亜塩素酸および二酸化塩素を含有した殺菌水の生成装置では、ｐＨ測定手段３と触媒酸化手段５との間の亜塩素酸水溶液送液管４３に、第一切り替え弁２１が設置されている。この第一切り替え弁２１には、亜塩素酸水溶液ブロー管４８が繋がっている。第一切り替え弁２１は、亜塩素酸水溶液が、触媒酸化手段５へ向かう方向か、亜塩素酸水溶液ブロー管４８か、のいずれかに流れるように、流れ方向を切り替えるための弁である。
【００２３】
また、図１に示す亜塩素酸および二酸化塩素を含有した殺菌水の生成装置では、二酸化塩素含有殺菌水送液管４７に、二酸化塩素含有殺菌水３６中の二酸化塩素濃度を測定するための二酸化塩素濃度測定手段７が設置されている。
【００２４】
また、図１に示す亜塩素酸および二酸化塩素を含有した殺菌水の生成装置では、二酸化塩素濃度測定手段７とユースポイントとの間の二酸化塩素含有殺菌水送液管４７に、第二切り替え弁２８が設置されている。この第二切り替え弁２８には、二酸化塩素含有殺菌水ブロー管４９が繋がっている。第二切り替え弁２８は、二酸化塩素含有殺菌水が、ユースポイントへ向かう方向か、二酸化塩素含有殺菌水ブロー管４９か、のいずれかに流れるように、流れ方向を切り替えるための弁である。
【００２５】
そして、図１に示す亜塩素酸および二酸化塩素を含有した殺菌水の生成装置は、ｐＨ測定手段３、第一切り替え弁２１、第二切り替え弁２８及び二酸化塩素溶解水送液ポンプ１３に電気的に繋がり、管理ｐＨ範囲が記憶され、ｐＨ測定手段３から送られてくるｐＨ値と管理ｐＨ範囲とを対比し、ｐＨ測定手段から送られてくるｐＨ値が、管理ｐＨ範囲から外れたときには、第一切り替え弁２１及び第二切り替え弁２８に、液流れをブロー側に切り替える命令を送ると共に、二酸化塩素溶解水送液ポンプ１３に、停止命令を送り、ｐＨ測定手段３から送られてくるｐＨ値が、管理ｐＨ範囲に戻ったときには、第一切り替え弁２１及び第二切り替え弁２８に、液流れを通常流れ側に切り替える命令を送ると共に、二酸化塩素溶解水送液ポンプ１３に、送液再開命令を送る、第一演算部（Ａ）２６を有する。第一演算部（Ａ）は、記憶部に管理ｐＨ範囲が記憶されており、ｐＨ測定手段３から送られてくるｐＨ値と管理ｐＨ範囲とを対比して、その対比結果により、第一切り替え弁２１及び第二切り替え弁２８に、液流れをブロー側に切り替える命令と、二酸化塩素溶解水送液ポンプ１３に、送液の停止命令を送り、あるいは、第一切り替え弁２１及び第二切り替え弁２８に、液流れを通常流れ側に切り替える命令と、二酸化塩素溶解水送液ポンプ１３に、送液の再開命令を送るプログラムが組み込まれている電子計算機である。なお、管理ｐＨ値とは、亜塩素酸水溶液５２のｐＨのバラツキ範囲として許容されるｐＨの範囲を指す。管理ｐＨ値は、殺菌水の用途、殺菌水中の二酸化塩素濃度の設定値等により、適宜選択される。また、液流れをブロー側に切り替えるとは、第一切り替え弁２１においては、触媒酸化手段５に送液されている亜塩素酸水溶液５２が、触媒酸化手段５に向かう亜塩素酸水溶液送液管４３には送液されず、且つ、亜塩素酸水溶液ブロー管４８に送液されるように切り替えることを指し、また、第二切り替え弁２８においては、ユースポイントに送液されている二酸化塩素含有殺菌水３６が、ユースポイントに向かう二酸化塩素含有殺菌水送液管４７には送液されず、且つ、二酸化塩素含有殺菌水ブロー管４９に送液されるように切り替えることを指す。また、液流れを通常流れ側に切り替えるとは、第一切り替え弁２１においては、亜塩素酸水溶液ブロー管４８に送液されている亜塩素酸水溶液５２が、亜塩素酸水溶液ブロー管４８には送液されず、且つ、触媒酸化手段５に向かう亜塩素酸水溶液送液管４３に送液されるように切り替えることを指し、また、第二切り替え弁２８においては、二酸化塩素含有殺菌水ブロー管４９に送液されている二酸化塩素含有殺菌水３６が、二酸化塩素含有殺菌水ブロー管４９には送液されず、且つ、ユースポイントに向かう二酸化塩素含有殺菌水送液管４７に送液されるように切り替えることを指す。
【００２６】
また、図１に示す亜塩素酸および二酸化塩素を含有した殺菌水の生成装置では、二酸化塩素濃度測定手段７及び二酸化塩素溶解水送液ポンプ１３に電気的に繋がり、管理二酸化塩素濃度値が記憶され、二酸化塩素濃度測定手段７から送られてくる二酸化塩素濃度値と管理二酸化塩素濃度値とを対比し、二酸化塩素濃度測定手段７から送られてくる二酸化塩素濃度値と、管理二酸化塩素濃度値に差がある場合には、二酸化塩素濃度測定手段７から送られてくる二酸化塩素濃度値と管理二酸化塩素濃度値との差から、二酸化塩素含有殺菌水中の二酸化塩素濃度を、管理二酸化塩素濃度値にするために必要な、二酸化塩素溶解水送液ポンプ１３の送液流量を算出し、二酸化塩素溶解水送液ポンプ１３に、送液流量変更命令を送る、第二演算部が設けられている。第二演算部は、記憶部に管理二酸化塩素濃度が記憶されており、二酸化塩素濃度測定手段７から送られてくる二酸化塩素濃度値と、管理二酸化塩素濃度値に差がある場合には、二酸化塩素濃度測定手段７から送られてくる二酸化塩素濃度値と管理二酸化塩素濃度値との差から、二酸化塩素含有殺菌水中の二酸化塩素濃度を、管理二酸化塩素濃度値にするために必要な、二酸化塩素溶解水送液ポンプ１３の送液流量を算出し、その送液流量に変更するように、二酸化塩素溶解水送液ポンプ１３に、送液流量変更命令を送るプログラムが組み込まれている電子計算機である。なお、管理二酸化塩素濃度値とは、製造目的とする二酸化塩素含有殺菌水３６の二酸化塩素濃度の設定値を指す。また、二酸化塩素含有殺菌水中の二酸化塩素濃度を、管理二酸化塩素濃度値にするために必要な、二酸化塩素溶解水送液ポンプの送液流量を算出し、その送液流量に変更するとは、二酸化塩素濃度測定手段により測定される二酸化塩素濃度値が、管理二酸化塩素濃度値より大きい場合には、二酸化塩素溶解水送液ポンプの送液流量を少なくして、二酸化塩素濃度測定手段により測定される二酸化塩素濃度値が、管理二酸化塩素濃度値になるように調節することを指し、また、二酸化塩素濃度測定手段により測定される二酸化塩素濃度値が、管理二酸化塩素濃度値より小さい場合には、二酸化塩素溶解水送液ポンプの送液流量を多くして、二酸化塩素濃度測定手段により測定される二酸化塩素濃度値が、管理二酸化塩素濃度値になるように調節することを指す。なお、二酸化塩素濃度測定手段により測定される二酸化塩素濃度値と、管理二酸化塩素濃度値とに、どの程度の差があったときに、二酸化塩素溶解水送液ポンプの送液流量を変更する命令を送る必要がある濃度差（有効濃度差）とするかは、殺菌水の用途、殺菌水中の二酸化塩素濃度の設定値等により、適宜選択される。また、第一演算部（Ａ）と第二演算部用のプラグラムは、同じ電子計算機に組み込まれていてもよいし、それぞれ別々の電子計算機に組み込まれていてもよい。
【００２７】
また、図１に示す亜塩素酸および二酸化塩素を含有した殺菌水の生成装置では、高濃度亜塩素酸ナトリウム水溶液の供給位置より手前の希釈亜塩素酸ナトリウム水溶液送液管４１に、加圧ポンプ１２が設置されている。加圧ポンプ１２は、イオン交換手段２から触媒酸化手段５まで液圧を確保するために設置されるポンプであるが、設置は任意である。例えば、加圧ポンプ１２を設置せずに、水道からの水圧で、イオン交換手段２から触媒酸化手段５まで液圧を確保することもできる。
【００２８】
また、図１に示す亜塩素酸および二酸化塩素を含有した殺菌水の生成装置では、二酸化塩素溶解水の供給位置より手前の二酸化塩素含有殺菌液送液管４７に、加圧ポンプ１５が設置されている。加圧ポンプ１５は、ユースポイントに供給される二酸化塩素含有殺菌水の液圧を確保するために設置されるポンプであるが、設置は任意である。例えば、加圧ポンプ１５を設置せずに、水道からの水圧で、二酸化塩素含有殺菌水の液圧を保つこともできる。
【００２９】
次いで、図１に示す亜塩素酸および二酸化塩素を含有した殺菌水の生成装置を用いて、二酸化塩素含有殺菌水を製造する方法について説明する。先ず、希釈亜塩素酸ナトリウム水溶液送液管４１に、亜塩素酸ナトリウム水溶液希釈用の希釈水３２を供給しながら、高濃度亜塩素酸ナトリウム水溶液送液管４２に、高濃度亜塩素酸ナトリウム水溶液３１を供給する。そして、希釈亜塩素酸ナトリウム水溶液送液管４１に、亜塩素酸ナトリウム水溶液希釈用の希釈水３２を供給しながら、高濃度亜塩素酸ナトリウム水溶液送液管４２に、高濃度亜塩素酸ナトリウム３１を供給することにより、希釈亜塩素酸ナトリウム水溶液送液管４１内で、イオン交換に供せられる希釈亜塩素酸ナトリウム水溶液５１が調製され、イオン交換手段２に供給される。高濃度亜塩素酸ナトリウム３１中の亜塩素酸ナトリウムの濃度は、製造目的の二酸化塩素含有殺菌水中の二酸化塩素濃度の設定値により、適宜選択される。例えば、食品用の殺菌水の場合には、高濃度亜塩素酸ナトリウム水溶液３１中の亜塩素酸ナトリウムの濃度は、５〜２５質量％、好ましくは５〜７．５質量％である。また、亜塩素酸ナトリウム水溶液希釈用の希釈水３２は、特に制限されず、例えば、水道水、イオン交換水、蒸留水、活性炭や逆浸透膜で処理された処理水等が挙げられ、殺菌水の用途に応じて、適宜選択される。また、希釈亜塩素酸ナトリウム水溶液５１中の亜塩素酸ナトリウムの濃度は、製造目的の二酸化塩素含有殺菌水中の二酸化塩素濃度の設定値により、適宜選択される。希釈亜塩素酸ナトリウム水溶液３１中の亜塩素酸ナトリウムの濃度は、通常、０．１〜０．４質量％、好ましくは０．２〜０．３質量％である。
【００３０】
次いで、イオン交換手段２により、希釈亜塩素酸ナトリウム水溶液５１中の亜塩素酸ナトリウムのナトリウムイオンを、水素イオンにイオン交換して、亜塩素酸水溶液５２を得る。
【００３１】
次いで、イオン交換手段２により得られる亜塩素酸水溶液５２を、触媒酸化手段５に送液し、触媒酸化手段５により、亜塩素酸水溶液５２中の亜塩素酸を酸化して、二酸化塩素溶解水５３を得る。
【００３２】
次いで、二酸化塩素含有殺菌水送液管４７に、二酸化塩素溶解水希釈用の希釈水３３ａを供給しながら、二酸化塩素溶解水送液ポンプ１３で、二酸化塩素含有殺菌水送液管４７内に、触媒酸化手段５により得られる二酸化塩素溶解水５３を供給する。そして、二酸化塩素含有殺菌水送液管４７に、二酸化塩素溶解水希釈用の希釈水３３ａを供給しながら、二酸化塩素溶解水送液ポンプ１３で、二酸化塩素含有殺菌水送液管４７内に、触媒酸化手段５により得られる二酸化塩素溶解水５３を供給することにより、二酸化塩素含有殺菌水送液管４７内で、二酸化塩素含有殺菌水３６が製造され、ユースポイントに供給される。二酸化塩素含有殺菌水３６中の二酸化塩素の濃度は、用途に応じて、適宜選択される。二酸化塩素含有殺菌水３６中の二酸化塩素の濃度は、通常、０．１〜２００ｍｇ／Ｌ、好ましくは１〜１００ｍｇ／Ｌ、特に好ましくは１０〜２０ｍｇ／Ｌである。
【００３３】
このようにして、図１に示す亜塩素酸および二酸化塩素を含有した殺菌水の生成装置では、二酸化塩素含有殺菌水が製造され、製造された二酸化塩素含有殺菌水が、ユースポイントに供給されるが、二酸化塩素含有殺菌水の製造中、イオン交換手段２から出てくる亜塩素酸水溶液５２中の亜塩素酸濃度は、全く同じ濃度で推移することはなく、常に、変動している。そして、何らかの要因で、亜塩素酸水溶液５２中の亜塩素酸濃度が、所望の濃度範囲より、低くなり過ぎたり、あるいは、高くなり過ぎたりすることがある。亜塩素酸水溶液５２中の亜塩素酸濃度が、所望の濃度範囲より、低くなり過ぎたり、あるいは、高くなり過ぎた亜塩素酸水溶液を、触媒酸化手段５に送液すると、最終的に、ユースポイントに供給される二酸化塩素含有殺菌水中の二酸化塩素濃度のバラツキが大きくなってしまう。そこで、ｐＨ測定手段３で、亜塩素酸水溶液５２のｐＨを測定することによって、亜塩素酸水溶液５２中の亜塩素酸濃度が、所望の濃度範囲内になっているか否かを判断し、そして、亜塩素酸水溶液５２の管理ｐＨ範囲を予め定めておき、亜塩素酸水溶液５２のｐＨ測定値が、管理ｐＨ範囲から外れたときには、第一切り替え弁２１及び第二切り替え弁２８を、ブロー側に切り替えて、亜塩素酸水溶液５２を亜塩素酸水溶液排水５６として、二酸化塩素含有殺菌水３６を二酸化塩素含有殺菌水排水５７として、装置外へ排出し、且つ、二酸化塩素溶解水送液ポンプ１３を停止することによって、二酸化塩素濃度の設定値からのずれが大きい二酸化塩素含有殺菌水が、製造されたり、ユースポイントに供給されないようにする。その後、亜塩素酸水溶液５２のｐＨ測定値が、管理ｐＨ範囲に戻ったときには、第一切り替え弁２１及び第二切り替え弁２８を、通常流れ側に切り替えて、亜塩素酸水溶液５２が触媒酸化手段５へ、二酸化塩素含有殺菌水３６がユースポイントに供給されるようにし、且つ、二酸化塩素溶解水送液ポンプ１３での送液を再開する。このことにより、本発明の亜塩素酸および二酸化塩素を含有した殺菌水の生成装置（１）では、第一切り替え弁より後段に送液される亜塩素酸水溶液の濃度のバラツキを小さくすることができるので、二酸化塩素濃度のバラツキが小さい二酸化塩素含有殺菌水を製造することができる。このような、ｐＨ測定手段からのｐＨ測定値の取得、ｐＨ測定値と管理ｐＨ範囲との対比、対比結果に基づく第一切り替え弁、第二切り替え弁及び二酸化塩素溶解水送液ポンプへの命令による制御は、第一演算部（Ａ）により行われる。
【００３４】
また、図１に示す亜塩素酸および二酸化塩素を含有した殺菌水の生成装置では、二酸化塩素含有殺菌水の製造中、二酸化塩素濃度測定手段７で、二酸化塩素含有殺菌水３６中の二酸化塩素濃度を測定し、二酸化塩素濃度の測定値と、管理二酸化塩素濃度値とを対比し、二酸化塩素濃度の測定値と、管理二酸化塩素濃度値に差がある場合には、二酸化塩素濃度測定手段７から送られてくる二酸化塩素濃度値と管理二酸化塩素濃度値との差から、二酸化塩素含有殺菌水中の二酸化塩素濃度を、管理二酸化塩素濃度値にするために必要な、二酸化塩素溶解水送液ポンプ１３の送液流量を算出し、その送液流量に、二酸化塩素溶解水送液ポンプ１３の送液流量を変更する。このことにより、本発明の亜塩素酸および二酸化塩素を含有した殺菌水の生成装置（１）では、二酸化塩素濃度のバラツキが小さい二酸化塩素含有殺菌水を製造することができる。このような、二酸化塩素濃度測定手段からの二酸化塩素濃度値の取得、二酸化塩素濃度の測定値と管理二酸化塩素濃度値との対比、対比結果から送液流量の計算、送液流量に基づく、二酸化塩素溶解水送液ポンプへの命令による制御は、第二演算部により行われる。
【００３５】
本発明の第二の形態の亜塩素酸および二酸化塩素を含有した殺菌水の生成装置（以下、本発明の亜塩素酸および二酸化塩素を含有した殺菌水の生成装置（２）とも記載する。）は、希釈亜塩素酸ナトリウム水溶液中の亜塩素酸ナトリウムのナトリウムイオンを水素イオンにイオン交換して、亜塩素酸水溶液を得るためのイオン交換手段と、
該亜塩素酸水溶液中の亜塩素酸を酸化触媒により酸化して、二酸化塩素溶解水を得るための触媒酸化手段と、
一端側から亜塩素酸ナトリウム水溶液希釈用の希釈水が供給され、他端側が該イオン交換手段に繋がる希釈亜塩素酸ナトリウム水溶液送液管と、
一端側から高濃度亜塩素酸ナトリウム水溶液が供給され、他端側が該希釈亜塩素酸ナトリウム水溶液送液管に繋がる高濃度亜塩素酸ナトリウム水溶液送液管と、
一端側が該イオン交換手段に繋がり、他端側が該触媒酸化手段に繋がり、亜塩素酸水溶液が送液される亜塩素酸水溶液送液管と、
一端側から二酸化塩素溶解水希釈用の希釈水が供給され、他端側がユースポイントに繋がる二酸化塩素含有殺菌水送液管と、
一端側が該触媒酸化手段に繋がり、他端側が二酸化塩素含有殺菌水送液管に繋がり、二酸化塩素溶解水が送液される二酸化塩素溶解水送液管と、
該高濃度亜塩素酸ナトリウム水溶液送液管に設置され、高濃度亜塩素酸ナトリウム水溶液を送液するための高濃度亜塩素酸ナトリウム水溶液送液ポンプと、
該二酸化塩素溶解水送液管に設置され、二酸化塩素溶解水を送液するための二酸化塩素溶解水送液ポンプと、
該亜塩素酸水溶液送液管に設置され、亜塩素酸水溶液のｐＨを測定するためのｐＨ測定手段と、
該ｐＨ測定手段と該触媒酸化手段との間の該亜塩素酸水溶液送液管に設置される第一切り替え弁と、
該第一切り替え弁に繋がる亜塩素酸水溶液ブロー管と、
該第一切り替え弁と該触媒酸化手段との間の該亜塩素酸水溶液送液管に設置される中間タンクと、
該二酸化塩素含有殺菌水送液管に設置され、二酸化塩素含有殺菌水中の二酸化塩素濃度を測定するための二酸化塩素濃度測定手段と、
該ｐＨ測定手段及び該第一切り替え弁に電気的に繋がり、管理ｐＨ範囲が記憶され、該ｐＨ測定手段から送られてくるｐＨ値と該管理ｐＨ範囲とを対比し、該ｐＨ測定手段から送られてくるｐＨ値が、該管理ｐＨ範囲から外れたときには、該第一切り替え弁に、液流れをブロー側に切り替える命令を送り、該ｐＨ測定手段から送られてくるｐＨ値が、該管理ｐＨ範囲に戻ったときには、該第一切り替え弁に、液流れを通常流れ側に切り替える命令を送る、第一演算部（Ｂ）と、
該二酸化塩素濃度測定手段及び該二酸化塩素溶解水送液ポンプに電気的に繋がり、管理二酸化塩素濃度値が記憶され、該二酸化塩素濃度測定手段から送られてくる二酸化塩素濃度値と該管理二酸化塩素濃度値とを対比し、該二酸化塩素濃度測定手段から送られてくる二酸化塩素濃度値と、該管理二酸化塩素濃度値に差がある場合には、該二酸化塩素濃度測定手段から送られてくる二酸化塩素濃度値と該管理二酸化塩素濃度値との差から、二酸化塩素含有殺菌水中の二酸化塩素濃度を、該管理二酸化塩素濃度値にするために必要な、該二酸化塩素溶解水送液ポンプの送液流量を算出し、該二酸化塩素溶解水送液ポンプに、送液流量変更命令を送る、第二演算部と、
を有することを特徴とする亜塩素酸および二酸化塩素を含有した殺菌水の生成装置である。
【００３６】
本発明の亜塩素酸および二酸化塩素を含有した殺菌水の生成装置（２）について、図２を参照して説明する。
【００３７】
図２は、本発明の亜塩素酸および二酸化塩素を含有した殺菌水の生成装置（２）の形態例のフロー図である。図２に示す亜塩素酸および二酸化塩素を含有した殺菌水の生成装置は、イオン交換手段２と、触媒酸化手段５と、を有する。また、図２に示す亜塩素酸および二酸化塩素を含有した殺菌水の生成装置は、高濃度亜塩素酸ナトリウム水溶液送液管４２と、希釈亜塩素酸ナトリウム水溶液送液管４１と、亜塩素酸水溶液送液管４３と、二酸化塩素溶解水送液管４４と、二酸化塩素含有殺菌水送液管４７と、を有する。亜塩素酸水溶液送液管４３の途中には、中間タンク４が設置されている。中間タンク４には、中間タンク４内の圧力を調節するために、中間タンク４内に加圧ガスを供給する加圧ガス供給管３７と、中間タンク４内のガスを排出する加圧ガス排出管３９が付設されている。なお、中間タンク４への加圧ガス供給管３７と加圧ガス排出管３９の設置は任意である。
【００３８】
イオン交換手段２は、希釈亜塩素酸ナトリウム水溶液５１中の亜塩素酸ナトリウムのナトリウムイオンを水素イオンにイオン交換して、亜塩素酸水溶液を得るための手段である。イオン交換手段としては、亜塩素酸ナトリウム水溶液中のナトリウムイオンを、水素イオンにイオン交換することができるＨ＋型のイオン交換体であれば、特に制限されない。Ｈ＋型のイオン交換体としては、例えば、陽イオン交換基を有し、その陽イオン交換基のカウンターカチオンが水素イオンであるＨ＋型の陽イオン交換樹脂や、Ｈ＋型の無機イオン交換体等が挙げられる。
【００３９】
触媒酸化手段５は、亜塩素酸水溶液５２中の亜塩素酸を酸化触媒により酸化して、二酸化塩素溶解水５３を得るための手段である。触媒酸化手段５としては、亜塩素酸水溶液中の亜塩素酸を酸化して、二酸化塩素溶解水を生成させることができる酸化触媒であれば、特に制限されない。触媒酸化手段としては、例えば、Ｐｄ、Ｐｔ等が担持されているアルミナ、Ｐｄ、Ｐｔ等が担持されているゼオライト、二酸化マンガン等の酸化触媒が挙げられる。
【００４０】
希釈亜塩素酸ナトリウム水溶液送液管４１は、高濃度亜塩素酸ナトリウム水溶液３１を希釈するための希釈水３２を、装置外からイオン交換手段２まで送液するための送液管であり、一端側から亜塩素酸ナトリウム水溶液希釈用の希釈水３２が供給され、他端側がイオン交換手段２に繋がっている。希釈亜塩素酸ナトリウム水溶液送液管４１の途中には、高濃度亜塩素酸ナトリウム水溶液送液管４２が繋がっている。この高濃度亜塩素酸ナトリウム水溶液送液管４２は、希釈亜塩素酸ナトリウム水溶液送液管４１内の亜塩素酸ナトリウム水溶液希釈用の希釈水３２に、高濃度亜塩素酸ナトリウム水溶液３１を供給するための送液管であり、一端側から高濃度亜塩素酸ナトリウム水溶液３１が供給され、他端側が希釈亜塩素酸ナトリウム水溶液送液管４１に繋がっている。そして、希釈亜塩素酸ナトリウム水溶液送液管４１内の亜塩素酸ナトリウム水溶液希釈用の希釈水３２に、高濃度亜塩素酸ナトリウム水溶液３１が供給されることで、希釈亜塩素酸ナトリウム水溶液送液管４１内で、希釈亜塩素酸ナトリウム水溶液５１が調製される。
【００４１】
亜塩素酸水溶液送液管４３は、イオン交換手段２と触媒酸化手段５とを、中間タンク４を経て繋ぐ送液管であり、一端側がイオン交換手段２に繋がり、他端側が触媒酸化手段５に繋がっている。亜塩素酸水溶液送液管４３の途中には、中間タンク４が設置されている。亜塩素酸水溶液送液管４３は、イオン交換手段２により生成された亜塩素酸水溶液５２を、中間タンク４を経て、触媒酸化手段５まで送液するための送液管である。
【００４２】
二酸化塩素含有殺菌水送液管４７は、二酸化塩素溶解水５３を希釈するための希釈水３３ａを、装置外からユースポイントまで送液するための送液管であり、一端側から二酸化塩素溶解水希釈用の希釈水３３ａが供給され、他端側がユースポイントに繋がっている。二酸化塩素含有殺菌水送液管４７の途中には、二酸化塩素溶解水送液管４４が繋がっている。この二酸化塩素溶解水送液管４４は、二酸化塩素含有殺菌水送液管４７内の二酸化塩素溶解水希釈用の希釈水３３ａに、触媒酸化手段５で亜塩素酸を酸化して得られる二酸化塩素溶解水５３を、二酸化塩素含有殺菌水送液管４７内に供給するための送液管であり、一端側が触媒酸化手段５に繋がり、他端側が二酸化塩素含有殺菌水送液管に４７繋がっている。そして、二酸化塩素含有殺菌水送液管４７内の二酸化塩素溶解水希釈用の希釈水３３ａに、二酸化塩素溶解水５３が供給されることで、二酸化塩素含有殺菌水送液管４７内で、二酸化塩素含有殺菌水３６が製造される。
【００４３】
図２に示す亜塩素酸および二酸化塩素を含有した殺菌水の生成装置では、高濃度亜塩素酸ナトリウム水溶液送液管４２に、高濃度亜塩素酸ナトリウム水溶液送液ポンプ１１が設置されている。高濃度亜塩素酸ナトリウム水溶液送液ポンプ１１は、希釈亜塩素酸ナトリウム水溶液送液管４１内に、高濃度亜塩素酸ナトリウム水溶液３１を、供給量を調節して供給するための送液ポンプである。
【００４４】
また、図２に示す亜塩素酸および二酸化塩素を含有した殺菌水の生成装置では、二酸化塩素溶解水送液管４４に、二酸化塩素溶解水送液ポンプ１３が設置されている。二酸化塩素溶解水送液ポンプ１３は、触媒酸化手段５で得られる二酸化塩素溶解水５３を、二酸化塩素含有殺菌水送液管４７に送液するための送液ポンプである。
【００４５】
また、図２に示す亜塩素酸および二酸化塩素を含有した殺菌水の生成装置では、イオン交換手段２と中間タンク４の間の亜塩素酸水溶液送液管４３に、亜塩素酸水溶液５２のｐＨを測定するためのｐＨ測定手段３と第一切り替え弁２１が設置されている。ｐＨ測定手段３と第一切り替え弁２１の設置順は、ｐＨ測定手段３が前段で、第一切り替え弁２１が後段である。この第一切り替え弁２１には、亜塩素酸水溶液ブロー管４８が繋がっている。第一切り替え弁２１は、亜塩素酸水溶液が、触媒酸化手段５へ向かう方向か、亜塩素酸水溶液ブロー管４８か、のいずれかに流れるように、流れ方向を切り替えるための弁である。
【００４６】
また、図２に示す亜塩素酸および二酸化塩素を含有した殺菌水の生成装置では、二酸化塩素含有殺菌水送液管４７に、二酸化塩素含有殺菌水３６中の二酸化塩素濃度を測定するための二酸化塩素濃度測定手段７が設置されている。
【００４７】
また、図２に示す亜塩素酸および二酸化塩素を含有した殺菌水の生成装置では、二酸化塩素濃度測定手段７とユースポイントとの間の二酸化塩素含有殺菌水送液管４７に、第二切り替え弁２８が設置されている。この第二切り替え弁２８には、二酸化塩素含有殺菌水ブロー管４９が繋がっている。第二切り替え弁２８は、二酸化塩素含有殺菌水を、ユースポイントへ向かう方向か、二酸化塩素含有殺菌水ブロー管４９かのいずれかに、流れるようにする弁である。なお、本発明の亜塩素酸および二酸化塩素を含有した殺菌水の生成装置（２）においては、第二切り替え弁２８及び二酸化塩素含有殺菌水ブロー管４９の設置は任意である。
【００４８】
そして、図２に示す亜塩素酸および二酸化塩素を含有した殺菌水の生成装置は、ｐＨ測定手段３及び第一切り替え弁２１に電気的に繋がり、管理ｐＨ範囲が記憶され、ｐＨ測定手段３から送られてくるｐＨ値と管理ｐＨ範囲とを対比し、ｐＨ測定手段から送られてくるｐＨ値が、管理ｐＨ範囲から外れたときには、第一切り替え弁２１に、液流れをブロー側に切り替える命令を送り、ｐＨ測定手段３から送られてくるｐＨ値が、管理ｐＨ範囲に戻ったときには、第一切り替え弁２１に、液流れを通常流れ側に切り替える命令を送る第一演算部（Ｂ）２６を有する。第一演算部（Ｂ）は、記憶部に管理ｐＨ範囲が記憶されており、ｐＨ測定手段３から送られているｐＨ値と管理ｐＨ範囲とを対比して、その対比結果により、第一切り替え弁２１に、液流れをブロー側に切り替える命令を送り、あるいは、第一切り替え弁２１に、液流れを通常流れ側に切り替える命令を送るプログラムが組み込まれている電子計算機である。なお、管理ｐＨ値とは、亜塩素酸水溶液５２のｐＨのバラツキ範囲として許容されるｐＨの範囲を指す。また、液流れをブロー側に切り替えるとは、第一切り替え弁２１において、中間タンク４に送液されている亜塩素酸水溶液５２が、中間タンク４に向かう亜塩素酸水溶液送液管４３には送液されず、且つ、亜塩素酸水溶液ブロー管４８に送液されるように切り替えることを指す。また、液流れを通常流れ側に切り替えるとは、第一切り替え弁２１において、亜塩素酸水溶液ブロー管４８に送液されている亜塩素酸水溶液５２が、亜塩素酸水溶液ブロー管４８には送液されず、且つ、中間タンク４に向かう亜塩素酸水溶液送液管４３に送液されるように切り替えることを指す。
【００４９】
また、図２に示す亜塩素酸および二酸化塩素を含有した殺菌水の生成装置は、二酸化塩素濃度測定手段７及び二酸化塩素溶解水送液ポンプ１３に電気的に繋がり、管理二酸化塩素濃度値が記憶され、二酸化塩素濃度測定手段７から送られてくる二酸化塩素濃度値と管理二酸化塩素濃度値とを対比し、二酸化塩素濃度測定手段７から送られてくる二酸化塩素濃度値と、管理二酸化塩素濃度値に差がある場合には、二酸化塩素濃度測定手段７から送られてくる二酸化塩素濃度値と管理二酸化塩素濃度値との差から、二酸化塩素含有殺菌水中の二酸化塩素濃度を、管理二酸化塩素濃度値にするために必要な、二酸化塩素溶解水送液ポンプ１３の送液流量を算出し、二酸化塩素溶解水送液ポンプ１３に、送液流量変更命令を送る第二演算部を有する。第二演算部は、電子計算機であり、その記憶部に、管理二酸化塩素濃度が記憶されており、二酸化塩素濃度測定手段７から送られてくる二酸化塩素濃度値と、管理二酸化塩素濃度値に差がある場合には、二酸化塩素濃度測定手段７から送られてくる二酸化塩素濃度値と管理二酸化塩素濃度値との差から、二酸化塩素含有殺菌水中の二酸化塩素濃度を、管理二酸化塩素濃度値にするために必要な、二酸化塩素溶解水送液ポンプ１３の送液流量を算出し、その送液流量に変更するように、二酸化塩素溶解水送液ポンプ１３に、送液流量変更命令を送るプログラムが組み込まれている電子計算機である。なお、管理二酸化塩素濃度値とは、製造目的とする二酸化塩素含有殺菌水３６の二酸化塩素濃度の設定値を指す。また、二酸化塩素含有殺菌水中の二酸化塩素濃度を、管理二酸化塩素濃度値にするために必要な、二酸化塩素溶解水送液ポンプの送液流量を算出し、その送液流量に変更するとは、二酸化塩素濃度測定手段により測定される二酸化塩素濃度値が、管理二酸化塩素濃度値より大きい場合には、二酸化塩素溶解水送液ポンプの送液流量を少なくして、二酸化塩素濃度測定手段により測定される二酸化塩素濃度値が、管理二酸化塩素濃度値になるように調節することを指し、また、二酸化塩素濃度測定手段により測定される二酸化塩素濃度値が、管理二酸化塩素濃度値より小さい場合には、二酸化塩素溶解水送液ポンプの送液流量を多くして、二酸化塩素測定手段により測定される二酸化塩素濃度値が、管理二酸化塩素濃度値になるように調節することを指す。なお、二酸化塩素濃度測定手段により測定される二酸化塩素濃度値と、管理二酸化塩素濃度値とに、どの程度の差があったときに、二酸化塩素溶解水送液ポンプの送液流量を変更する命令を送る必要がある濃度差（有効濃度差）とするかは、殺菌水の用途、殺菌水中の二酸化塩素濃度の設置値等により、適宜選択される。また、第一演算部（Ｂ）と第二演算部用のプラグラムは、同じ電子計算機に組み込まれていてもよいし、それぞれ別々の電子計算機に組み込まれていてもよい。
【００５０】
また、図２に示す亜塩素酸および二酸化塩素を含有した殺菌水の生成装置では、高濃度亜塩素酸ナトリウム水溶液の供給位置より手前の希釈亜塩素酸ナトリウム水溶液送液管４１に、加圧ポンプ１２が設置されている。加圧ポンプ１２は、イオン交換手段２から触媒酸化手段５まで水溶液の液圧を確保するために設置されるポンプであるが、設置は任意である。例えば、加圧ポンプ１２を設置せずに、水道からの水圧で、イオン交換手段２から触媒酸化手段５まで液圧を確保することもできる。
【００５１】
また、図２に示す亜塩素酸および二酸化塩素を含有した殺菌水の生成装置では、二酸化塩素溶解水の供給位置より手前の二酸化塩素含有殺菌液送液管４７に、加圧ポンプ１５が設置されている。加圧ポンプ１５は、ユースポイントに供給される二酸化塩素含有殺菌水の液圧を確保するために設置されるポンプであるが、設置は任意である。例えば、加圧ポンプ１５を設置せずに、水道からの水圧で、二酸化塩素含有殺菌水の液圧を確保することもできる。
【００５２】
次いで、図２に示す亜塩素酸および二酸化塩素を含有した殺菌水の生成装置を用いて、二酸化塩素含有殺菌水を製造する方法について説明する。先ず、希釈亜塩素酸ナトリウム水溶液送液管４１に、亜塩素酸ナトリウム水溶液希釈用の希釈水３２を供給しながら、高濃度亜塩素酸ナトリウム水溶液送液管４２に、高濃度亜塩素酸ナトリウム水溶液３１を供給する。そして、希釈亜塩素酸ナトリウム水溶液送液管４１に、亜塩素酸ナトリウム水溶液希釈用の希釈水３２を供給しながら、高濃度亜塩素酸ナトリウム水溶液送液管４２に、高濃度亜塩素酸ナトリウム水溶液３１を供給することにより、希釈亜塩素酸ナトリウム水溶液送液管４１内で、イオン交換に供せられる希釈亜塩素酸ナトリウム水溶液５１が調製され、イオン交換手段２に供給される。高濃度亜塩素酸ナトリウム水溶液３１中の亜塩素酸ナトリウムの濃度は、製造目的の二酸化塩素含有殺菌水中の二酸化塩素濃度の設定値により、適宜選択される。例えば、食品用の殺菌水の場合には、高濃度亜塩素酸ナトリウム水溶液３１中の亜塩素酸ナトリウムの濃度は、通常、５〜２５質量％、好ましくは５〜７．５質量％である。また、亜塩素酸ナトリウム水溶液希釈用の希釈水３２は、特に制限されず、例えば、水道水、イオン交換水、蒸留水、活性炭や逆浸透膜で処理された処理水等が挙げられ、殺菌水の用途に応じて、適宜選択される。また、希釈亜塩素酸ナトリウム水溶液５１中の亜塩素酸ナトリウムの濃度は、製造目的の二酸化塩素含有殺菌水中の二酸化塩素濃度の設定値により、適宜選択される。希釈亜塩素酸ナトリウム水溶液３１中の亜塩素酸ナトリウムの濃度は、通常、０．１〜０．４質量％、好ましくは０．２〜０．３質量％である。
【００５３】
次いで、イオン交換手段２により、希釈亜塩素酸ナトリウム水溶液５１中の亜塩素酸ナトリウムのナトリウムイオンを、水素イオンにイオン交換して、亜塩素酸水溶液５２を得る。
【００５４】
次いで、イオン交換手段２により得られる亜塩素酸水溶液５２を、中間タンク４に送液する。
【００５５】
次いで、中間タンク４内の亜塩素酸水溶液５２を、触媒酸化手段５に送液して、触媒酸化手段５により、亜塩素酸水溶液５２中の亜塩素酸を酸化して、二酸化塩素溶解水５３を得る。
【００５６】
次いで、二酸化塩素含有殺菌水送液管４７に、二酸化塩素溶解水希釈用の希釈水３３ａを供給しながら、二酸化塩素溶解水送液ポンプ１３で、二酸化塩素含有殺菌水送液管４７内に、触媒酸化手段５により得られる二酸化塩素溶解水５３を供給する。そして、二酸化塩素含有殺菌水送液管４７に、二酸化塩素溶解水希釈用の希釈水３３ａを供給しながら、二酸化塩素溶解水送液ポンプ１３で、二酸化塩素含有殺菌水送液管４７内に、触媒酸化手段５により得られる二酸化塩素溶解水５３を供給することにより、二酸化塩素含有殺菌水送液管４７内で、二酸化塩素含有殺菌水３６が製造され、ユースポイントに供給される。二酸化塩素含有殺菌水３６中の二酸化塩素の濃度は、用途に応じて、適宜選択される。二酸化塩素含有殺菌水３６中の二酸化塩素の濃度は、通常、０．１〜２００ｍｇ／Ｌ、好ましくは１〜１００ｍｇ／Ｌ、特に好ましくは１０〜２０ｍｇ／Ｌである。
【００５７】
このようにして、図２に示す亜塩素酸および二酸化塩素を含有した殺菌水の生成装置では、二酸化塩素含有殺菌水が製造され、製造された二酸化塩素含有殺菌水が、ユースポイントに供給されるが、二酸化塩素含有殺菌水の製造中、イオン交換手段２により製造される亜塩素酸水溶液５２中の亜塩素酸濃度は、全く同じ濃度で推移することはなく、常に、変動している。そして、何らかの要因で、亜塩素酸水溶液５２中の亜塩素酸濃度が、所望の濃度範囲より、低くなり過ぎたり、あるいは、高くなり過ぎたりすることがある。亜塩素酸水溶液５２中の亜塩素酸濃度が、所望の濃度範囲より、低くなり過ぎたり、あるいは、高くなり過ぎている亜塩素酸水溶液を、触媒酸化手段５に供給すると、最終的に、ユースポイントに供給される二酸化塩素含有殺菌水中の二酸化塩素濃度のバラツキが大きくなってしまう。そこで、ｐＨ測定手段３で、亜塩素酸水溶液５２のｐＨを測定することによって、亜塩素酸水溶液５２中の亜塩素酸濃度が、所望の濃度範囲内になっているか否かを判断し、そして、亜塩素酸水溶液５２の管理ｐＨ範囲を予め定めておき、亜塩素酸水溶液５２のｐＨ測定値が、管理ｐＨ範囲から外れたときには、第一切り替え弁２１を、ブロー側に切り替えて、亜塩素酸水溶液５２を亜塩素酸水溶液排水５７として、装置外へ排出することによって、二酸化塩素濃度の設定値からのずれが大きい二酸化塩素含有殺菌水が、製造されないようにする。その後、亜塩素酸水溶液５２のｐＨ測定値が、管理ｐＨ範囲に戻ったときには、第一切り替え弁２１を、通常流れ側に切り替えて、亜塩素酸水溶液５２が中間タンク４に送液されるようにする。このことにより、本発明の亜塩素酸および二酸化塩素を含有した殺菌水の生成装置（２）では、第一切り替え弁より後段に送液される亜塩素酸水溶液の濃度のバラツキを小さくすることができるので、二酸化塩素濃度のバラツキが小さい二酸化塩素含有殺菌水を製造することができる。このような、ｐＨ測定手段からのｐＨ測定値の取得、ｐＨ測定値と管理ｐＨ範囲との対比、対比結果に基づく第一切り替え弁への命令による制御は、第一演算部（Ｂ）により行われる。
【００５８】
そして、図１に示す亜塩素酸および二酸化塩素を含有した殺菌水の生成装置では、第一切り替え弁２１で液流れを切り替えて、亜塩素酸水溶液を装置外にブローすると、触媒酸化手段５及びその後段に流れる液がなくなるため、二酸化塩素溶解水送液ポンプを停止し、且つ、第二切り替え弁２８で液流れを切り替えて、二酸化塩素含有殺菌水も装置外にブローする必要がある。それに対して、図２に示す亜塩素酸および二酸化塩素を含有した殺菌水の生成装置では、第一切り替え弁２１と触媒酸化手段５の間に、中間タンク４があり、この中間タンク４内には、亜塩素酸水溶液が貯まっているため、第一切り替え弁２１で液流れを切り替えて、亜塩素酸水溶液を装置外にブローしても、中間タンク４内の亜塩素酸水溶液を、触媒酸化手段５に送液することができる。そのため、図２に示す亜塩素酸および二酸化塩素を含有した殺菌水の生成装置では、第一切り替え弁２１で液流れを切り替えて、亜塩素酸水溶液を装置外にブローしても、触媒酸化手段５及びその後段に流れる液がなくならないので、二酸化塩素含有殺菌水を装置外にブローしたり、二酸化塩素溶解水送液ポンプを停止する必要はない。よって、図２に示す亜塩素酸および二酸化塩素を含有した殺菌水の生成装置では、ｐＨが管理ｐＨ範囲を外れてしまった亜塩素酸水溶液を装置外にブローしている間も、連続して、二酸化塩素含有殺菌水を続けることができる。
【００５９】
本発明の亜塩素酸および二酸化塩素を含有した殺菌水の生成装置（２）は、図２に示す亜塩素酸および二酸化塩素を含有した殺菌水の生成装置のように、第二切り替え弁及び二酸化塩素含有殺菌水ブロー管を有していてもよし、あるいは、第二切り替え弁及び二酸化塩素含有殺菌水ブロー管を有していなくてもよい。また、本発明の亜塩素酸および二酸化塩素を含有した殺菌水の生成装置（２）は、第二切り替え弁及び二酸化塩素含有殺菌水ブロー管を有する場合、第二切り替え弁と第一演算部（Ｂ）とが電気的に繋がっており、第一演算部（Ｂ）には、緊急停止が必要な事態が生じた場合等に、第二切り替え弁を切り替えて、二酸化塩素含有殺菌水を、二酸化塩素含有殺菌水ブロー管に送液して、装置外に排出できるような、第二切り替え弁をブロー側に切り替える命令を送るプログラムが組み込まれていてもよい。
【００６０】
また、図２に示す亜塩素酸および二酸化塩素を含有した殺菌水の生成装置では、二酸化塩素含有殺菌水の製造中、二酸化塩素濃度測定手段７で、二酸化塩素含有殺菌水３６中の二酸化塩素濃度を測定し、二酸化塩素濃度の測定値と、管理二酸化塩素濃度値とを対比し、二酸化塩素濃度の測定値と、管理二酸化塩素濃度値に差がある場合には、二酸化塩素濃度測定手段７から送られてくる二酸化塩素濃度値と管理二酸化塩素濃度値との差から、二酸化塩素含有殺菌水中の二酸化塩素濃度を、管理二酸化塩素濃度値にするために必要な、二酸化塩素溶解水送液ポンプ１３の送液流量を算出し、その送液流量に、二酸化塩素溶解水送液ポンプ１３の送液流量を変更する。このことにより、本発明の亜塩素酸および二酸化塩素を含有した殺菌水の生成装置（２）では、二酸化塩素濃度のバラツキが少ない二酸化塩素含有殺菌水を製造することができる。このような、二酸化塩素濃度測定手からの二酸化塩素濃度値の取得、二酸化塩素濃度の測定値と管理二酸化塩素濃度値との対比、対比結果から送液流量の計算、送液流量に基づく、二酸化塩素溶解水送液ポンプへの命令による制御は、第二演算部により行われる。
【００６１】
本発明の亜塩素酸および二酸化塩素を含有した殺菌水の生成装置（１）又は本発明の亜塩素酸および二酸化塩素を含有した殺菌水の生成装置（２）は、希釈亜塩素酸ナトリウム水溶液供給管に設置され、希釈亜塩素酸ナトリウム水溶液の電気伝導度を測定するための電気伝導度測定手段と、
該電気伝導度測定手段及び該高濃度亜塩素酸ナトリウム水溶液送液ポンプに電気的に繋がり、管理電気伝導度値が記憶され、電気伝導度測定手段から送られてくる電気伝導度値と該管理電気伝導度値とを対比し、電気伝導度測定手段から送られてくる電気伝導度値と、管理電気伝導度値に差がある場合には、電気伝導度測定手段から送られてくる電気伝導度値と管理電気伝導度値との差から、希釈亜塩素酸ナトリウム水溶液の電気伝導度を、管理電気伝導度値にするために必要な、高濃度亜塩素ナトリウム水溶液送液ポンプの送液流量を算出し、高濃度亜塩素酸ナトリウム水溶液送液ポンプに、送液流量変更命令を送る、第三演算部と、
を有することができる。以下、電気伝導度測定手段と、第三演算部と、を有する本発明の亜塩素酸および二酸化塩素を含有した殺菌水の生成装置（１）を、本発明の亜塩素酸および二酸化塩素を含有した殺菌水の生成装置（１Ａ）とも記載し、また、電気伝導度測定手段と、第三演算部と、を有する本発明の亜塩素酸および二酸化塩素を含有した殺菌水の生成装置（２）を、本発明の亜塩素酸および二酸化塩素を含有した殺菌水の生成装置（２Ａ）とも記載する。
【００６２】
図３は、本発明の亜塩素酸および二酸化塩素を含有した殺菌水の生成装置（１Ａ）の形態例のフロー図である。また、図４は、本発明の亜塩素酸および二酸化塩素を含有した殺菌水の生成装置（２Ａ）の形態例のフロー図である。図３に示す亜塩素酸および二酸化塩素を含有した殺菌水の生成装置（１Ａ）又は図４に示す亜塩素酸および二酸化塩素を含有した殺菌水の生成装置（２Ａ）は、希釈亜塩素酸ナトリウム水溶液供給管４１に設置され、希釈亜塩素酸ナトリウム水溶液５１の電気伝導度を測定するための電気伝導度測定手段１と、電気伝導度測定手段１及び高濃度亜塩素酸ナトリウム水溶液送液ポンプ１１に電気的に繋がり、管理電気伝導度値が記憶され、電気伝導度測定手段から送られてくる電気伝導度値と管理電気伝導度値とを対比し、電気伝導度測定手段１から送られてくる電気伝導度値と、管理電気伝導度値に差がある場合には、電気伝導度測定手段から送られてくる電気伝導度値と管理電気伝導度値との差から、希釈亜塩素酸ナトリウム水溶液５１の電気伝導度を、管理電気伝導度値にするために必要な、高濃度亜塩素ナトリウム水溶液送液ポンプ１１の送液流量を算出し、高濃度亜塩素酸ナトリウム水溶液送液ポンプ１１に、送液流量変更命令を送る第三演算部２５と、を有する。第三演算部２５は、管理電気伝導度値が記憶され、電気伝導度測定手段から送られてくる電気伝導度値と管理電気伝導度値とを対比し、電気伝導度測定手段１から送られてくる電気伝導度値と、管理電気伝導度値に差がある場合には、電気伝導度測定手段から送られてくる電気伝導度値と管理電気伝導度値との差から、希釈亜塩素酸ナトリウム水溶液５１の電気伝導度を、管理電気伝導度値にするために必要な、高濃度亜塩素ナトリウム水溶液送液ポンプ１１の送液流量を算出し、高濃度亜塩素酸ナトリウム水溶液送液ポンプ１１に、送液流量変更命令を送るプログラムが組み込まれている電子計算機である。なお、電気伝導度測定手段により測定される電気伝導度値と、管理電気伝導度値とに、どの程度の差があったときに、高濃度亜塩素酸ナトリウム水送液ポンプの送液流量を変更する命令を送る必要がある電気伝導度差（有効電気伝導度差）とするかは、殺菌水の用途、殺菌水中の二酸化塩素濃度の設置値等により、適宜選択される。また、第三演算部用のプラグラムは、第一演算部（Ａ）、第一演算部（Ｂ）又は第二演算部用のプログラムと、同じ電子計算機に組み込まれていてもよいし、それぞれ別々の電子計算機に組み込まれていてもよい。
【００６３】
本発明の亜塩素酸および二酸化塩素を含有した殺菌水の生成装置（１Ａ）又は本発明の亜塩素酸および二酸化塩素を含有した殺菌水の生成装置（２Ａ）によれば、何らかの要因で、イオン交換手段２に送液される亜塩素酸ナトリウム水溶液５１中の亜塩素酸ナトリウム濃度が、所望の濃度からずれたときに、希釈亜塩素酸ナトリウム水溶液送液管４１への高濃度亜塩素酸ナトリウム水溶液３１の供給流量を調節して、希釈亜塩素酸ナトリウム水溶液５１の亜塩素酸ナトリウム濃度を、所望の濃度に調節することができる。
【００６４】
本発明の亜塩素酸および二酸化塩素を含有した殺菌水の生成装置（１）、本発明の亜塩素酸および二酸化塩素を含有した殺菌水の生成装置（２）、本発明の亜塩素酸および二酸化塩素を含有した殺菌水の生成装置（１Ａ）又は本発明の亜塩素酸および二酸化塩素を含有した殺菌水の生成装置（２Ａ）は、二酸化塩素含有殺菌水送液管に供給する二酸化塩素溶解水希釈用の希釈水として、二酸化炭素が溶解している二酸化塩素溶解水希釈用の希釈水を供給するために、二酸化炭素溶解用の水に二酸化炭素を溶解させて、二酸化塩素溶解水希釈用の水を作製するための二酸化炭素溶解手段を有することができる。以下、二酸化炭素溶解手段を有する本発明の亜塩素酸および二酸化塩素を含有した殺菌水の生成装置（１）を、本発明の亜塩素酸および二酸化塩素を含有した殺菌水の生成装置（１Ｂ）とも記載し、また、二酸化炭素溶解手段を有する本発明の亜塩素酸および二酸化塩素を含有した殺菌水の生成装置（２）を、本発明の亜塩素酸および二酸化塩素を含有した殺菌水の生成装置（２Ｂ）とも記載し、二酸化炭素溶解手段を有する本発明の亜塩素酸および二酸化塩素を含有した殺菌水の生成装置（１Ａ）を、本発明の亜塩素酸および二酸化塩素を含有した殺菌水の生成装置（１Ｃ）とも記載し、二酸化炭素溶解手段を有する本発明の亜塩素酸および二酸化塩素を含有した殺菌水の生成装置（２Ａ）を、本発明の亜塩素酸および二酸化塩素を含有した殺菌水の生成装置（２Ｃ）とも記載する。
【００６５】
図５は、本発明の亜塩素酸および二酸化塩素を含有した殺菌水の生成装置（１Ｂ）の形態例のフロー図である。また、図６は、本発明の亜塩素酸および二酸化塩素を含有した殺菌水の生成装置（２Ｂ）の形態例のフロー図である。また、図６は、本発明の亜塩素酸および二酸化塩素を含有した殺菌水の生成装置（２Ｃ）の形態例のフロー図である。図５に示す亜塩素酸および二酸化塩素を含有した殺菌水の生成装置（１Ｂ）、図６に示す亜塩素酸および二酸化塩素を含有した殺菌水の生成装置（２Ｂ）、図７に示す亜塩素酸および二酸化塩素を含有した殺菌水の生成装置（２Ｃ）は、二酸化炭素溶解手段６と、二酸化炭素３８を二酸化炭素溶解手段６に供給する二酸化炭素供給管４５と、二酸化炭素溶解用の水３４を二酸化炭素溶解手段６に送液する二酸化炭素溶解用水送液管４６と、を有する。二酸化炭素溶解手段６に、二酸化塩素含有殺菌水送液管４７の一端が繋がっており、二酸化塩素溶解手段６により作製される二酸化炭素が溶解している二酸化塩素溶解水用の希釈水３３ｂが、二酸化塩素溶解水５３の希釈用の希釈水として、二酸化塩素含有殺菌水送液管４７に供給される。
【００６６】
二酸化炭素溶解手段６としては、水に二酸化炭素を溶解することができる手段であれば、特に制限されず、マイクロバグリング方式の溶解手段、加圧溶解方式の溶解手段、膜溶解手段等が挙げられる。
【００６７】
また、図５、図６又は図７に示す亜塩素酸および二酸化塩素を含有した殺菌水の生成装置では、二酸化炭素溶解手段６への二酸化炭素３８の供給量を調節するためのガス流量調節器２２が設置されている。
【００６８】
また、図５、図６又は図７に示す亜塩素酸および二酸化塩素を含有した殺菌水の生成装置では、二酸化炭素溶解用水送液管４６に、加圧ポンプ１４が設置されている。加圧ポンプ１４は、二酸化炭素溶解手段６から加圧ポンプ１５までの液圧を確保するために設置されるポンプであるが、設置は任意である。例えば、加圧ポンプ１４を設置せずに、水道からの水圧で、二酸化炭素溶解手段６から加圧ポンプ１５まで液圧を確保することもできる。
【００６９】
二酸化炭素溶解手段６に供給される二酸化炭素溶解用の水３４は、特に制限されず、例えば、水道水、イオン交換水、蒸留水、活性炭や逆浸透膜で処理された処理水等が挙げられ、殺菌水の用途に応じて、適宜選択される。
【００７０】
二酸化塩素が溶解している水では、ｐＨが５〜７になると、ＣｌＯ２の存在比率が９０％から１０％に低下するので、二酸化塩素含有殺菌水のｐＨが２〜５であると、殺菌力が高まる。そして、本発明の亜塩素酸および二酸化塩素を含有した殺菌水の生成装置（１Ｂ）、（２Ｂ）、（１Ｃ）又は（２Ｃ）では、二酸化炭素溶解手段を設置して、二酸化炭素が溶解している二酸化塩素溶解水希釈用の希釈水を供給することにより、二酸化炭素が溶解している二酸化塩素含有殺菌水を製造することができるので、二酸化塩素含有殺菌水のｐＨを、４〜５に調節することができる。そのため、殺菌力が高い二酸化塩素含有殺菌水を製造することができる。
【００７１】
本発明の亜塩素酸および二酸化塩素を含有した殺菌水の生成装置は、亜塩素酸ナトリウムを原料として用いて、二酸化塩素を含有する殺菌水（二酸化塩素含有殺菌水）を製造するための装置である。通常、二酸化塩素を含有する殺菌水中には、二酸化塩素に加えて、亜塩素酸及び亜塩素酸イオンが混在しており、殺菌水のｐＨにより、二酸化塩素及び亜塩素酸と亜塩素酸イオンの存在比率が変化する。そして、本発明の亜塩素酸および二酸化塩素を含有した殺菌水の生成装置により得られる二酸化塩素含有殺菌水のｐＨは、３〜５．５程度である。そのため、二酸化塩素含有殺菌水中には、二酸化塩素、亜塩素酸及び亜塩素酸イオンが存在する。つまり、二酸化塩素含有殺菌水は、二酸化塩素、亜塩素酸及び亜塩素酸イオンを含有している。このように、本発明の亜塩素酸および二酸化塩素を含有した殺菌水の生成装置により得られる殺菌水は、二酸化塩素、亜塩素酸及び亜塩素酸イオンを含有する殺菌水であるが、説明の都合上、二酸化塩素含有殺菌水と記載する。
【００７２】
また、本発明の亜塩素酸および二酸化塩素を含有した殺菌水の生成装置を用いて、亜塩素酸ナトリウムを原料として、二酸化塩素含有殺菌水を製造する際には、製造過程で、二酸化塩素溶解水が生成する。この二酸化塩素溶解水は、二酸化塩素が溶解している水、言い換えると、二酸化塩素を含有する水である。二酸化塩素溶解水中の二酸化塩素濃度は、二酸化塩素含有殺菌水中の二酸化塩素濃度より高く、二酸化塩素溶解水のｐＨは、１．５〜２．５程度である。そのため、二酸化塩素及び亜塩素酸と亜塩素酸イオンの存在比率は、二酸化塩素及び亜塩素酸側に大きく寄っているものの、二酸化塩素溶解水中には、二酸化塩素、亜塩素酸及び亜塩素酸イオンが存在する。つまり、二酸化塩素溶解水は、二酸化塩素、亜塩素酸及び亜塩素酸イオンを含有している。このように、二酸化塩素溶解水は、二酸化塩素、亜塩素酸及び亜塩素酸イオンを含有する水であるが、説明の都合上、二酸化塩素溶解水と記載する。そして、二酸化塩素溶解水と二酸化塩素含有殺菌水とを区別するために、触媒酸化手段で製造され、希釈水で希釈される前の溶液を、二酸化塩素溶解水と記載し、また、希釈水で希釈された後の溶液を、二酸化塩素含有殺菌水と記載する。
【実施例】
【００７３】
（実施例１）
図１に示す亜塩素酸および二酸化塩素を含有した殺菌水の生成装置を用いて、二酸化塩素含有殺菌水の製造実験を行った。
・高濃度亜塩素酸ナトリウム水溶液３１：濃度７.５質量％、供給量３.８ｍＬ／分
・希釈水３２：水道水、供給量１２７ｍＬ／分
・イオン交換手段２：イオン交換樹脂、三菱化学株式会社製、ダイヤイオン  ＳＫ１Ｂ
・触媒酸化手段：Ｐｔ／アルミナ
・希釈水３３：水道水、供給量７Ｌ／分
【００７４】
製造実験では、亜塩素酸水溶液５２に希亜塩素酸ナトリウム水溶液５１を混合することにより、強制的にｐＨを変動させた。図８には、図１に示す亜塩素酸および二酸化塩素を含有した殺菌水の生成装置を用いて、二酸化塩素含有殺菌水の製造を行ったときの、ｐＨ測定手段３のｐＨの推移と、亜塩素酸水溶液排水５６の排水状況と、送液ポンプ１３の運転状況と、二酸化塩素含有殺菌水排水５７の排水状況を示す。なお、図８中、ｐＨ測定手段３のグラフの点線は、管理ｐＨの上限値である。
図８に示すように、製造試験中に、ｐＨの値が管理ｐＨ値の上限値を超えさせる操作を行うと、ｐＨの値が管理ｐＨの上限値まで下がるまでの間、亜塩素酸水溶液排水５６及び二酸化塩素含有殺菌水排水５７が排水され、送液ポンプ１３が停止した。そのため、ユースポイントには、二酸化塩素含有殺菌水３６は供給されなかった。
そして、ｐＨの値が管理ｐＨの上限値まで下がると、亜塩素酸水溶液排水５６及び二酸化塩素含有殺菌水排水５７が排水されなくなり、送液ポンプ１３が再開した。そのため、ユースポイントへの二酸化塩素含有殺菌水３６の供給が再開された。
この製造試験では、ｐＨの値が管理ｐＨ値の上限値を超えている亜塩素酸水溶液は、全て排出されているので、ｐＨの値が管理ｐＨ値の上限値を超えても亜塩素酸水溶液の排出を行わなかった場合に比べ、後段へ供給される亜酸化塩素水溶液のｐＨの変動幅が小さい。
【００７５】
（実施例２）
図２に示す亜塩素酸および二酸化塩素を含有した殺菌水の生成装置を用いて、二酸化塩素含有殺菌水の製造実験を行った。
・高濃度亜塩素酸ナトリウム水溶液３１：濃度７.５質量％、供給量３.８ｍＬ／分
・希釈水３２：水道水、供給量１２７ｍＬ／分
・イオン交換手段２：イオン交換樹脂、三菱化学株式会社製、ダイヤイオン  ＳＫ１Ｂ
・触媒酸化手段：Ｐｔ／アルミナ
・希釈水３３：水道水、供給量７Ｌ／分
【００７６】
製造実験では、実施例１と同様に亜塩素酸水溶液５２に希亜塩素酸ナトリウム水溶液５１を混合することにより、強制的にｐＨを変動させた。図９には、図２に示す亜塩素酸および二酸化塩素を含有した殺菌水の生成装置を用いて、二酸化塩素含有殺菌水の製造を行ったときの、二酸化塩素濃度測定手段７の濃度測定値の推移と、送液ポンプ１３の運転状況と、二酸化塩素含有殺菌水排水５７の排水状況を示す。なお、ｐＨ測定手段３のｐＨの推移と、亜塩素酸水溶液排水５６の排水状況は、図８中のものとほぼ同様であった。
図９に示すように、製造試験中に、ｐＨの値が管理ｐＨ値の上限値を超えたために、亜塩素酸水溶液排水５６が排水されても、中間タンク４内には、ｐＨが管理ｐＨ値の範囲内の亜塩素酸水溶液が貯まっているので、送液ポンプ１３を運転し続けることができ、且つ、亜塩素酸水溶液排水５６が排水されている間も、亜塩素酸水溶液排水５６が排水される前後も、二酸化塩素含有殺菌水中の二酸化塩素濃度は、管理二酸化塩素濃度範囲の上限値と下限値の間で推移した。
【符号の説明】
【００７７】
１          電気伝導度測定手段
２          イオン交換手段
３          ｐＨ測定手段
４          中間タンク
５          触媒酸化手段
６          二酸化炭素溶解手段
７          二酸化塩素濃度測定手段
１１        高濃度亜塩素酸ナトリウム水溶液送液ポンプ
１２        加圧ポンプ
１３        二酸化塩素溶解水送液ポンプ
１４        加圧ポンプ
１５        加圧ポンプ
２１        第一切り替え弁
２２        ガス流量調節器
２５        第三演算部
２６        第一演算部
２７        第二演算部
２８        第二切り替え弁
３１        高濃度亜塩素酸ナトリウム水溶液
３２        希釈水
３３ａ、３３ｂ  希釈水
３４        二酸化炭素溶解用の水
３６        二酸化塩素含有殺菌水
３７        加圧ガス供給管
３８        二酸化炭素
３９        加圧ガス排出管
４１        希釈亜塩素酸ナトリウム水溶液送液管
４２        高濃度亜塩素酸ナトリウム水溶液送液管
４３        亜塩素酸水溶液送液管
４４        二酸化塩素溶解水送液管
４５        二酸化炭素供給管
４６        二酸化炭素溶解用水送液管
４７        二酸化塩素含有殺菌水送液管
４８        亜塩素酸水溶液ブロー管
４９        二酸化塩素含有殺菌水ブロー管
５１        希釈亜塩素酸ナトリウム水溶液
５２        亜塩素酸水溶液
５３        二酸化塩素溶解水
５６        亜塩素酸水溶液排水
５７        二酸化塩素含有殺菌水排水
【図１】
2015217334.tif 000003
【図２】
2015217334.tif 000004
【図３】
2015217334.tif 000005
【図４】
2015217334.tif 000006
【図５】
2015217334.tif 000007
【図６】
2015217334.tif 000008
【図７】
2015217334.tif 000009
【図８】
2015217334.tif 000010
【図９】
2015217334.tif 000011